(57)【特許請求の範囲】
【請求項１】
スライダー胴体(20,40) と、前記スライダー胴体(20,40) に保持される引手(11)とを有し、前記スライダー胴体(20,40) は、前記引手(11)を保持する引手取付柱(26)が立設された上翼板(21)と、前記上翼板(21)に対向して配される下翼板(22)と、前記上翼板(21)及び下翼板(22)の肩口側端部間を連結する案内柱(23)と、前記下翼板(22)の左右側縁部に、前記上翼板(21)に向けて延設される左右の下フランジ(24)とを少なくとも有し、前記下フランジ(24)は、肩口側先端部の上翼板対向面(24a) 側で且つスライダー幅方向の外側に配され、肩口側に向けて下り傾斜し、且つスライダー幅方向の外側に向けて下り傾斜する下り斜面部(31)を有してなるスライドファスナー用スライダー(10)であって、
前記下り斜面部(31)は、前記肩口側の先端面(24d) 、前記上翼板対向面(24a) 、及び外側面(24c) に対して稜線部を介して隣り合って配されてなり、
前記下り斜面部(31)の前記稜線部により囲まれる領域が三角形状を呈してなり、
前記スライダー胴体(20,40) の正面視において、前記三角形状の一辺が前記上翼板対向面(24a) 上にあり、前記三角形状の別の一辺が前記外側面(24c) 上にあり、更に別の一辺が他の二辺の端部を結んで前記上翼板対向面(24a) と前記外側面(24c) に対して斜めに延びてなる、
ことを特徴とするスライダー。
【請求項２】
前記稜線部は面取りされてなる請求項１に記載のスライダー。
【請求項３】
前記下り斜面部(31)は、肩口側先端部の上翼板対向面(24a) 側で且つスライダー幅方向の外側の角部を切り欠いた形状を有してなる請求項１又は２に記載のスライダー。
【請求項４】
前記下翼板(22)の左右側縁部は、肩口側先端から後口にかけて、前記下翼板(22)の幅寸法が前記後口に向けて漸増する漸増部(22a) と、前記左右側縁部が互いに平行となる平行部(22b) と、前記下翼板(22)の幅寸法が前記後口に向けて漸減する漸減部(22c) とを有し、
前記下フランジ(24)は、前記下翼板(22)の後口側端縁から前記平行部(22b) の一部の領域までの範囲に配され、
前記下り斜面部(31)は、前記平行部(22b) の領域に配されてなる、
請求項１〜３のいずれかに記載のスライダー。
【請求項５】
前記下フランジ(24)は、当該下フランジ(24)の外側縁と内側縁とを最短で結ぶ直線の寸法が、前記肩口側に向けて漸増する拡幅部(30)を有してなる請求項１〜４のいずれかに記載のスライダー。
【請求項６】
前記下り斜面部(31)は、前記スライダーの側面視にて視認可能に配されてなる請求項１〜５のいずれかに記載のスライダー。
【請求項７】
前記スライダー胴体(20)は、前記上翼板(21)の左右側縁部に、前記下翼板(22)に向けて延設される左右の上フランジ(25)を有し、
前記上フランジ(25)は、肩口側先端部の下翼板対向面側で且つスライダー幅方向の外側に配され、肩口側に向けて上り傾斜し、且つスライダー幅方向の外側に向けて上り傾斜する上り斜面部(33)を有してなる、
請求項１〜６のいずれかに記載のスライダー。
【請求項８】
前記上り斜面部(33)は、前記下り斜面部(31)と面対称の形態を有してなる請求項７に記載のスライダー。
【発明の詳細な説明】
【技術分野】
【０００１】
本発明は、スライドファスナー用のスライダーに関し、特に、スライドファスナーにおいて摺動を繰り返してもファスナーテープの損傷を生じさせ難くするスライダーに関する。
【背景技術】
【０００２】
従来から、スライドファスナーは、衣類や鞄類を始め、様々な物品において開口部を開閉する用途等に用いられている。スライドファスナーは、一般に、左右のファスナーテープの対向するテープ側縁部に沿ってエレメント列が形成された左右一対のファスナーストリンガーと、エレメント列に挿通したスライダーとを有しており、スライダーをエレメント列に沿ってファスナーエレメントの噛合方向又は分離方向に摺動させることにより、スライドファスナーを閉じること又は開くことが可能となる。【０００３】
スライドファスナーに用いられるスライダーには、構造や機能が異なる様々な種類のものが存在している。例えばスライダーの代表的なタイプとしては、停止爪体による停止機構を備えたスライダーと、停止機構を備えない自由スライダーとが知られている。【０００４】
停止機構付きのスライダーとしては、国際公開２０１０／７０７４４号パンフレット（特許文献１）に開示されているスライダー等が知られている。
例えば特許文献１に記載されているスライダーは、上下翼板の肩口側端部（前端部）が案内柱により連結されたスライダー胴体と、スライダー胴体に回動可能に保持される引手と、爪部を一端部に備える停止爪体とを有している。【０００５】
特許文献１におけるスライダー胴体の上翼板には、引手を保持する左右の引手保持部と、停止爪体が挿入される挿入溝と、停止爪体の他端部を加締め固定する加締め部と、停止爪体の爪部を挿通させてエレメント案内路に突出させることが可能な爪孔とが配されている。また、スライダー胴体における上翼板の左右側縁部には、上フランジが下翼板に向けて垂設されており、下翼板の左右側縁部には、下フランジが上翼板に向けて立設されている。【０００６】
特許文献１では、引手の軸部に、断面がカム形状を呈するカム部が設けられている。停止爪体は、その爪部を上翼板の爪孔に挿通させるとともに、引手の軸部を上方側から覆った状態で、当該停止爪体の他端部側がスライダー胴体の加締め部によって加締め固定されることにより、スライダー胴体に取り付けられている。【０００７】
このような停止爪体を有するスライダーにおいて、スライダーが摺動操作されておらず、引手がスライダーの後口側に倒伏している状態のときには、停止爪体の爪部がスライダー胴体のエレメント案内路に突出してエレメント列に係合するため、スライダーがエレメント列に対して自由に摺動することを防いで、スライダーの停止状態が保持される。【０００８】
また、スライダーを摺動操作するために引手を倒伏状態から起立させて引っ張ったときには、引手の軸部に配したカム部が停止爪体を持ち上げて爪部をエレメント案内路から抜出させるため、爪部とエレメント列との係合が解除され、スライダーをエレメント列に沿って円滑に摺動させることができる。【０００９】
一方、停止機構を備えない自由スライダーは、たとえば特開平１１−８９６１２号公報（特許文献２）等に開示されている。この特許文献２に記載されているスライダーは、上下翼板の前端部が案内柱により連結されたスライダー胴体と、スライダー胴体に回動可能に保持される引手とを有している。【００１０】
特許文献２におけるスライダー胴体の上翼板には、引手取付柱が片持ち状に一体形成されている。この引手取付柱の先端部（自由端部）と上翼板との間には、引手の軸部を挿通可能な空間部が設けられており、当該空間部を介して引手の軸部を引手取付柱と上翼板との間に挿入した後、引手取付柱の先端部と上翼板との間の空間部を狭めるように引手取付柱を塑性変形させることにより、引手がスライダー胴体に装着される。【００１１】
また、このような特許文献２のスライダー胴体においても、上翼板の左右側縁部には、上フランジが下翼板に向けて垂設されており、下翼板の左右側縁部には、下フランジが上翼板に向けて立設されている。【００１２】
ところで、スライドファスナーは、現在、その用途や使用目的が多岐に渡っており、それぞれの用途や使用目的に応じて、構造や機能などが異なる様々なタイプのスライドファスナーが用いられている。【００１３】
例えば、衣類や鞄類などには、所謂、通常タイプのスライドファスナーが多く用いられている。この通常タイプのスライドファスナーの場合、ファスナーテープの外部に露出する第１テープ面（テープ表面）側のテープ側縁部にエレメント列が配されており、このエレメント列は、ファスナーエレメントをその噛合頭部がテープ側端縁から外方に突出した状態でテープ側縁部に取着することにより形成されている。【００１４】
このため、通常タイプのスライドファスナーでは、左右のエレメント列を噛合させたときに、ファスナーエレメントの少なくとも一部が外部から見える状態となる。このような通常タイプのスライドファスナーには、前述した特許文献１〜特許文献２に記載されているようなスライダーが用いられる。【００１５】
このような通常タイプのスライドファスナーに対して、左右のエレメント列を噛合させたときにファスナーエレメントが外部から見えないように隠すことが可能なスライドファスナーとして、隠しタイプのスライドファスナーや、裏使いタイプのスライドファスナーなどが知られている。【００１６】
隠しタイプのスライドファスナー（以下、「隠しスライドファスナー」と略記する）では、帯状のファスナーテープに対して、ファスナーエレメントが、その噛合頭部をテープ主体部側に向けた状態でエレメント取付部の第１テープ面側に取着され、その後、当該ファスナーテープを第２テープ面側が内側となるようにテープ主体部とエレメント取付部との境界部にて略Ｕ字状に折り曲げて、噛合頭部をファスナーテープのテープ折曲部から外方に突出させることにより、隠しスライドファスナー用のファスナーストリンガーが構成される。【００１７】
このように構成されたファスナーストリンガーを２つ一組にして組み合わせて、例えば特開２００６−１５０６９号公報（特許文献３）等に記載されているようなスライダーを左右のエレメント列に挿通させることにより、隠しスライドファスナーが構成される。このような隠しスライドファスナーでは、左右のエレメント列を噛合させたときに、左右のファスナーテープのテープ折曲部同士が密接することにより、噛合状態のエレメント列をファスナーテープで覆い隠して外部から見えなくすることが可能となる。【００１８】
裏使いタイプのスライドファスナーは、ファスナーテープの外部に露出しない第２テープ面（テープ裏面）側のテープ側縁部にエレメント列が配されて構成されており、左右のエレメント列を噛合させたときに、左右のファスナーテープの対向するテープ側縁同士が密接又は近接することにより、噛合状態のエレメント列をファスナーテープで覆い隠して外部から見えなくすることが可能となる。このような裏使いタイプのスライドファスナーに用いられるスライダーの一例が、特開２００９−５６０７６号公報（特許文献４）等に記載されている。
【先行技術文献】
【特許文献】
【００１９】
【特許文献１】国際公開２０１０／７０７４４号パンフレット
【特許文献２】特開平１１−８９６１２号公報
【特許文献３】特開２００６−１５０６９号公報
【特許文献４】特開２００９−５６０７６号公報
【発明の概要】
【発明が解決しようとする課題】
【００２０】
前述したような各種のスライドファスナーでは、スライダーがエレメント列に沿って摺動するときに、スライダーがファスナーテープに接触し易く、また、スライダーとファスナーテープとの間に摩擦が生じ易い。特に、スライドファスナーが鞄類などに取着されて使用される場合には、スライダーを摺動させる際に、スライダーの引手を引張りながらスライダーの摺動操作が行われることが多い。【００２１】
引手は、通常、スライダー胴体の上翼板側に保持されているため、引手が上述のように引っ張られることにより、スライダーは、ファスナーストリンガーに対して斜め上方に引っ張られながら摺動する。この場合、スライダーの下翼板に配した下フランジが、特に、下フランジにおける上翼板対向面（上面）と外側面との間に配される稜線部が、ファスナーテープのテープ面に接触し易くなる。【００２２】
また、このようなスライダーにおけるファスナーテープに対する下フランジの接触は、スライダーをエレメント列の噛合方向に摺動させる際に、すなわち、スライダーの上下フランジに左右のファスナーエレメントを当接させて左右のファスナーストリンガーを引き寄せながらスライドファスナーを閉鎖する際に起こり易く、この場合は、主に下フランジの肩口側先端部が、ファスナーテープのテープ面に接触する。【００２３】
しかし、従来のスライダーにおいて、下フランジの肩口側先端部は、肩口側先端面、上面、内側面、及び外側面を有しており、各面間の境界部には角張った稜線部が形成されていることが多い。また、肩口側先端部の外側面側には、肩口側先端面、上面、及び外側面の３つの面により、尖鋭状の角部が形成されることもあった。【００２４】
而して、上述のようにスライダーをエレメント列の噛合方向に摺動させたときには、肩口側先端部の外側面側で且つ上面側の角部にファスナーテープのテープ面に摺接することにより、その角部が当たるテープ部分に応力や摩擦力が集中し易くなる。このため、スライダーの摺動操作が繰り返されることにより、スライダーの下フランジの肩口側先端部（特に、肩口側先端部の前記角部）が接触するテープ部分が徐々に傷付けられて弱くなり、スライドファスナーが長期に渡って使用されると、ファスナーテープを構成する糸を部分的に切断してファスナーテープを破損させることがあった。【００２５】
なお、従来のスライダーの中には、下フランジにおける肩口側先端面と上面とにより構成される稜線部が、面取りを施したような曲面状に形成されたスライダー（例えば特許文献４における図９を参照）や、下フランジにおける肩口側先端面が肩口側に向けて下り傾斜したスライダー（例えば特許文献１における図１を参照）が知られている。【００２６】
例えば、下フランジにおける肩口側先端面と上面とにより構成される稜線部が面取りされたスライダーの場合、当該稜線部が角張っているスライダーに比べて、スライダーをエレメント列の噛合方向に摺動させてファスナーテープが下フランジの肩口側先端部に接触したときに、ファスナーテープが下フランジの肩口側先端部に引っ掛かり難く、スライダーの摺動を滑らかにすることが可能となる。【００２７】
しかしながら、このように下フランジの当該稜線部を曲面状に形成しても、スライダーを摺動させたときに、特に、ファスナーテープに対して強い横引き力が加えられた状態で、スライダーをエレメント列の噛合方向（閉鎖方向）に摺動させたときに、ファスナーテープが曲面状の当該稜線部の外側に局部的に強く接触して大きな負荷を受け易いため、前述の場合と同様に、ファスナーテープを破損させることがあった。【００２８】
また、下フランジにおける肩口側先端面が肩口側に向けて下り傾斜したスライダーの場合も、下フランジの肩口側先端部に形成される稜線部が角張っていたり、また、肩口側先端部の外側面側で且つ上面側の角部が尖っていたりすると、スライダーを摺動させたときに、特にファスナーテープに対して強い横引き力が加えられた状態で、スライダーをエレメント列の噛合方向に摺動させたときに、ファスナーテープが下フランジの肩口側先端部から大きな応力を受けるため、スライダーの摺動操作が繰り返されることにより、ファスナーテープが部分的に破損することがあった。【００２９】
本発明は上記従来の課題に鑑みてなされたものであって、その具体的な目的は、スライダーの摺動が繰り返し行われても、スライダーの下フランジとファスナーテープとの接触に起因するファスナーテープの構成糸条の切断等を生じ難くして、ファスナーテープの破損を抑制することが可能なスライダーを提供することにある。
【課題を解決するための手段】
【００３０】
上記目的を達成するために、本発明により提供されるスライドファスナー用スライダーは、基本的な構成として、スライダー胴体と、前記スライダー胴体に保持される引手とを有し、前記スライダー胴体は、前記引手を保持する引手取付柱が立設された上翼板と、前記上翼板に対向して配される下翼板と、前記上翼板及び下翼板の肩口側端部間を連結する案内柱と、前記下翼板の左右側縁部に、前記上翼板に向けて延設される左右の下フランジとを少なくとも有し、前記下フランジは、肩口側先端部の上翼板対向面側で且つスライダー幅方向の外側に配され、肩口側に向けて下り傾斜し、且つスライダー幅方向の外側に向けて下り傾斜する下り斜面部を有してなる。
【００３１】
本発明に係るスライダーにおいて、その特徴とするところは、前記下り斜面部は、前記肩口側の先端面、前記上翼板対向面、及び外側面に対して稜線部を介して隣り合って配され、前記下り斜面部の前記稜線部により囲まれる領域が三角形状を呈してなり、前記スライダー胴体の正面視において、前記三角形状の一辺が前記上翼板対向面上にあり、前記三角形状の別の一辺が前記外側面上にあり、更に別の一辺が他の二辺の端部を結んで前記上翼板対向面と前記外側面に対して斜めに延びている。前記稜線部は面取りされていることが好ましい。
【００３２】
また、本発明に係るスライダーにおいて、前記下り斜面部は、肩口側先端部の上翼板対向面側で且つスライダー幅方向の外側の角部を切り欠いた形状を有していることが好ましい。【００３３】
更に、本発明に係るスライダーにおいて、前記下翼板の左右側縁部は、肩口側先端から後口にかけて、前記下翼板の幅寸法が前記後口に向けて漸増する漸増部と、前記左右側縁部が互いに平行となる平行部と、前記下翼板の幅寸法が前記後口に向けて漸減する漸減部とを有し、前記下フランジは、前記下翼板の後口側端縁から前記平行部の一部の領域までの範囲に配され、前記下り斜面部は、前記平行部の領域に配されていることが好ましい。【００３４】
更にまた、本発明に係るスライダーにおいて、前記下フランジは、当該下フランジの外側縁と内側縁とを最短で結ぶ直線の寸法が、前記肩口側に向けて漸増する拡幅部を有していることが好ましい。
また、前記下り斜面部は、前記スライダーの側面視にて視認可能に配されていることが好ましい。【００３５】
更に、本発明のスライダーにおいて、前記スライダー胴体は、前記上翼板の左右側縁部に、前記下翼板に向けて延設される左右の上フランジを有し、前記上フランジは、肩口側先端部の下翼板対向面側で且つスライダー幅方向の外側に配され、肩口側に向けて上り傾斜し、且つスライダー幅方向の外側に向けて上り傾斜する上り斜面部を有していることが好ましい。【００３６】
この場合、前記上り斜面部は、前記下り斜面部と面対称の形態を有していることが好ましい。
【発明の効果】
【００３７】
本発明に係るスライドファスナー用スライダーでは、下翼板の左右側縁部に下フランジがそれぞれ立設されており、各下フランジにおける肩口側先端部（前端部）の上翼板対向面（上面）側で且つスライダー幅方向の外側には、肩口側に向かう方向と、スライダー幅方向の外側に向かう方向とに下り傾斜する傾斜面を備えた下り傾斜部が形成されている。【００３８】
このようにスライダーの下フランジにおける肩口側先端部に下り傾斜部が形成されていることにより、例えばスライドファスナーにおいて本発明のスライダーをエレメント列の噛合方向に向けて摺動させたときに、下フランジの下り傾斜部の表面（傾斜面）とファスナーテープとを接触させることが可能となり、下フランジとファスナーテープとが接触する接触面積を従来のスライダーに比べて拡大できる。【００３９】
これにより、ファスナーテープが下フランジの肩口側先端部に当たることによって受ける負荷（応力）が分散し、従来のように局部的に集中することを抑制できる。従って、本発明のスライダーの摺動操作がスライドファスナーの長期の使用において繰り返し行われても、スライダーの下フランジによってファスナーテープが傷付けられ難くなるため、ファスナーテープの破損を抑制でき、ファスナーテープの寿命を従来よりも延ばすことができる。【００４０】
このような本発明のスライダーにおいて、前記下り斜面部は、下フランジにおける肩口側の先端面（前面）、上翼板対向面（上面）、及び外側面に対して稜線部を介して隣り合って配されており、特に、下り斜面部の稜線部により囲まれる領域が三角形状を呈している。このように下り斜面部が形成されていることにより、スライダーの摺動時に、下フランジの下り斜面部に対してファスナーテープを安定して接触させることができるため、ファスナーテープの破損をより効果的に抑制できる。【００４１】
この場合、前記稜線部が面取りされたような曲面状に形成されていることにより、スライダーが噛合方向に摺動するときに、ファスナーテープが当該稜線部から受ける応力をやわらげるとともに、ファスナーテープが下フランジに引っ掛かることを防いでスライダーを滑らかに摺動させることができる。【００４２】
また、本発明のスライダーにおいて、前記下り斜面部は、肩口側先端部の上翼板対向面側で且つスライダー幅方向の外側の角部を切り欠いた形状を有している。これにより、スライダーの摺動時に、下フランジの下り斜面部に対してファスナーテープを安定して接触させることができるため、ファスナーテープの破損をより効果的に抑制できる。【００４３】
本発明のスライダーにおいて、下翼板の左右側縁部は、肩口側先端から後口にかけて、下翼板の幅寸法が後口に向けて漸増する漸増部と、左右側縁部が互いに平行となる平行部と、下翼板の幅寸法が後口に向けて漸減する漸減部とを有している。また、下フランジは、下翼板の少なくとも平行部の一部と漸減部とに亘るように、下翼板の後口側端縁から平行部の一部の領域まで延びて配されており、その下フランジにおける下翼板の平行部の領域に下り斜面部が設けられている。【００４４】
このように下フランジの下り斜面部が下翼板の平行部の領域に設けられていることにより、下フランジのファスナーテープが接触し易い領域内に、下り斜面部を所望の大きさで安定して形成することができる。【００４５】
また、本発明のスライダーにおいて、前記下フランジは、当該下フランジの外側縁と内側縁とを最短で結ぶ直線の寸法が、肩口側に向けて漸増する拡幅部を有している。これにより、下フランジの肩口側先端部が大きく形成されるため、その肩口側先端部に下り斜面部をより大きく形成できるとともに、下り斜面部を所望の傾斜角度で形成することが可能となる。【００４６】
更に、本発明のスライダーにおいて、前記下り斜面部は、スライダーの側面視にて視認可能に配されている。すなわち、本発明の下り斜面部は、スライダーの幅方向外側に向いて配されているため、スライダーをエレメント列の噛合方向に向けて摺動させて、左右のファスナーストリンガーを引き寄せながらスライドファスナーを閉鎖する際に、ファスナーテープを下フランジの下り斜面部に対して安定して接触させることができる。【００４７】
また、本発明のスライダーにおいて、前記スライダー胴体は、上翼板の左右側縁部に、下翼板に向けて延設される左右の上フランジを有しており、その上フランジは、肩口側先端部の下翼板対向面側で且つスライダー幅方向の外側に配され、肩口側に向けて上り傾斜し、且つスライダー幅方向の外側に向けて上り傾斜する上り斜面部を有している。特にこの場合、上フランジに配された上り斜面部は、下フランジに配された下り斜面部と面対称の形態を有している。【００４８】
このようにスライダーの上フランジに上り斜面部が形成されていることにより、スライドファスナーにおいて本発明のスライダーをエレメント列の噛合方向に向けて摺動させたときにファスナーテープが上フランジに接触する場合に、上フランジの上り傾斜部の表面（傾斜面）とファスナーテープとを接触させることが可能となるため、下フランジの下り傾斜部の場合と同様に、ファスナーテープが上フランジの肩口側先端部に当たることによって受ける負荷（応力）を容易に分散させることができる。【００４９】
従って、本発明のスライダーの摺動操作がスライドファスナーの長期の使用において繰り返し行われても、スライダーの下フランジだけでなく、上フランジによってもファスナーテープが傷付けられ難くなるため、ファスナーテープの破損をより効果的に抑制できる。
【図面の簡単な説明】
【００５０】
【図１】本発明の実施例１に係るスライダーを有するスライドファスナーの使用例を示す斜視図である。
【図２】同スライダーにおけるスライダー胴体の斜視図である。
【図３】同スライダー胴体の側面図である。
【図４】同スライダー胴体の正面図である。
【図５】図５の（ａ）〜（ｄ）は、図４に示したＶ（ａ）−Ｖ（ａ）線〜Ｖ（ｄ）−Ｖ（ｄ）線における各断面図である。
【図６】同スライダーと左右のファスナーストリンガーとの関係を示す断面図である。
【図７】図６に示したＶＩＩ−ＶＩＩ線における断面図である。
【図８】本発明の実施例２に係るスライダーのスライダー胴体を示す斜視図である。
【発明を実施するための形態】
【実施例１】
【００５１】
本実施例１に係るスライダー１０は、図６に示したような複数の金属製のファスナーエレメント２が左右のファスナーテープ４に取着されたスライドファスナー１に使用され、当該スライダー１０をファスナーエレメント２のエレメント列３に沿って分離又は噛合方向に摺動させることにより、スライドファスナー１が開閉される。このような本実施例１のスライダー１０を有するスライドファスナー１は、例えば図１に示した鞄５などのファスナー被着体の開口部又は開閉部に取り付けられて使用される。【００５２】
以下、本実施例１に係るスライダー１０の構成について、図面を参照しながら詳細に説明する。ここで、図２〜図４は、それぞれ、本実施例１におけるスライダー１０のスライダー胴体２０を示す斜視図、側面図、及び正面図である。なお、図２は、引手１１を保持するために後述する引手取付柱２６が加締められる前の状態のスライダー胴体２０を示しており、図３及び図４は、引手取付柱２６が加締められた後の状態のスライダー胴体２０を示している。【００５３】
なお、以下の説明において、スライダー１０の前後方向とは、スライドファスナー１を構成したときにスライダー１０の摺動方向に平行な方向（スライダー１０の長さ方向）を指し、左右のエレメント列３を噛合させるように摺動させるときの摺動方向を前方（肩口側方向）とし、左右のエレメント列３を分離させるように摺動させるときの摺動方向を後方（後口側方向）とする。【００５４】
また、スライダー１０の上下方向とは、スライダー１０の高さ方向を指し、スライダー胴体２０に対して引手１１が取り付けられる側の方向を上方とし、その反対側の方向を下方とする。スライダー１０の左右方向とは、スライダー１０の摺動方向に直交する方向で、スライダー１０の幅方向を指すものとする。【００５５】
本実施例１のスライダー１０は、スライダー胴体２０と、引手１１とを有しており、スライダー胴体２０及び引手１１は、アルミニウム合金、亜鉛合金などの金属材料をダイキャスト成形することにより、又は、銅合金などの金属板をプレス加工することにより作製されている。なお、本発明において、スライダー胴体２０及び引手１１の材質や作製方法は特に限定されるものではなく、任意に選択することができる。【００５６】
本実施例１における引手１１は、摘み部と、摘み部の一端から延設された左右一対の腕部と、腕部の先端部間を連結する取付軸部とを有しており、従来から一般的に使用されている引手と同様のものを用いることが可能である。【００５７】
本実施例１におけるスライダー胴体２０は、スライダー幅方向の中心線を基準にして左右に対称的な形態を有している。このスライダー胴体２０は、上翼板２１と、上翼板２１から離間し且つ上翼板２１に対向して配された下翼板２２と、上下翼板２１，２２の前端部（肩口側端部）間を連結する案内柱２３と、下翼板２２の左右側縁部に立設された左右の下フランジ２４と、上翼板２１の左右側縁部に垂設された左右の上フランジ２５と、上翼板２１の上面側に立設された引手取付柱２６とを有している。【００５８】
また、スライダー胴体２０の前端部には、案内柱２３を間に挟んで左右の肩口が形成されており、スライダー胴体２０の後端部には後口が形成されている。この場合、左右の肩口は、スライダー胴体２０における案内柱２３の前端部と、左右の上下フランジ２５，２４の前端部との間に配されており、後口は、左側の上下フランジ２５，２４の後端部と、右側の上下フランジ２５，２４の後端部との間に配されている。【００５９】
本実施例１における上翼板２１及び下翼板２２は、互いに平行に配されており、互いに面対称となる形態を有している。また、上下翼板２１，２２間には、左右の肩口と後口とを連通するＹ字形状のエレメント案内路２７が形成されている。【００６０】
更に、上翼板２１の内面（下翼板２２対向面）及び下翼板２２の内面（上翼板２１対向面）における肩口側端部には、ファスナーエレメント２をエレメント案内路２７に挿入し易くするために、外側に向けて上翼板２１及び下翼板２２の各厚さ寸法を漸減させる傾斜面又は湾曲面２９が形成されている。【００６１】
更にまた、左右の下フランジ２４と左右の上フランジ２５との間には、スライドファスナー１を構成したときにファスナーテープ４を挿通させるテープ挿通間隙２８が形成されている。この場合、下フランジ２４の上面２４ａと上フランジ２５の下面とは、互いに平行に配されており、テープ挿通間隙２８の間隔、すなわち、下フランジ２４の上面２４ａと上フランジ２５の下面との間の間隔は、一定の大きさを有している。【００６２】
また、下翼板２２における左右側縁部は、当該下翼板２２を上面側又は下面側から見たときに（図６を参照）、下翼板２２のスライダー幅方向における寸法（幅寸法）が前端部から後端部に向けて漸増する漸増部（第１側縁部）２２ａと、漸増部２２ａより後口側に配され、下翼板２２の幅寸法が一定となる平行部（第２側縁部）２２ｂと、平行部２２ｂより後口側に配され、下翼板２２の幅寸法が漸減する漸減部（第３側縁部）２２ｃと、漸減部２２ｃよりも更に後口側に配され、下翼板２２の幅寸法が一定となる部分を含む後口側端部（第４側縁部）２２ｄとを有している。【００６３】
この場合、平行部２２ｂ及び後口側端部２２ｄにおける下翼板２２の左右側縁部は、互いに平行な位置関係にある。なお、上翼板２１の左右側縁部も、下翼板２２と同様に、上翼板２１の前端部側から、漸増部（第１側縁部）と、平行部（第２側縁部）と、漸減部（第３側縁部）と、後口側端部（第４側縁部）とを有している。【００６４】
本実施例１における左右の下フランジ２４は、下翼板２２における左右の外側縁に沿うようにして、下翼板２２の後端から、平行部２２ｂの後端側の領域までの範囲に亘って形成されており、平行部２２ｂの前端側の領域には下フランジ２４が延びていない。【００６５】
この下フランジ２４は、上翼板２１（特に上フランジ２５）に対向して配される上面２４ａと、下フランジ２４のエレメント案内路２７側に配され、稜線部を介して上面２４ａに対して直交する内側面２４ｂと、下フランジ２４の外側縁側に配され、稜線部を介して上面２４ａに対して直交する外側面２４ｃと、下フランジ２４の前端に配される前端面２４ｄと、下フランジ２４の後端に配される後端面２４ｅとを有している。【００６６】
下フランジ２４の内側面２４ｂは、エレメント案内路２７に挿通されるエレメント列３に対向して下翼板２２から立設しており、また、外側面２４ｃは、下翼板２２の外側縁に沿って立設している。下フランジ２４の前端面２４ｄは、スライダー前方に向いた面（スライダー幅方向に平行な面）を含む端面であり、内側面２４ｂ及び外側面２４ｃと稜線部を介して隣接している。【００６７】
なお、本発明において、下フランジ２４の前端面２４ｄは、稜線部を介さずに内側面２４ｂ及び／又は外側面２４ｃと連続するように形成されていても良く、この場合、前端面２４ｄとは、例えば図５に示したように、下フランジ２４における上下方向に直行する方向の断面を見たときに、スライダー幅方向に平行となる面と、当該平行となる面の外側端部から下翼板２２の外側縁までの面とを含む端面を言い、又は、当該断面を見たときに、下フランジ２４の前端から下翼板２２の外側縁にかけて形成される端面を言う。また、本発明の下フランジでは、下フランジ２４の内側面２４ｂと外側面２４ｃとが稜線部を介して互いに隣接し、前端面が設けられていなくても良い。【００６８】
本実施例１の下フランジ２４における上面２４ａと内側面２４ｂとの間の稜線部、及び、上面２４ａと外側面２４ｃとの間の稜線部は、曲率が比較的大きな曲面状に形成されている。また、下フランジ２４における後端面２４ｅと、上面２４ａ、内側面２４ｂ、及び外側面２４ｃとの間の各稜線部は、上面２４ａと内側面２４ｂ及び外側面２４ｃとの間の稜線部よりも小さな曲率で湾曲した曲面状に形成されており、面取りが施されたような形態を有している。【００６９】
また、本実施例１の下フランジ２４は、図６に示すように、当該下フランジ２４の内側面２４ｂ（内側縁）と外側面２４ｃ（外側縁）との間を最も短い長さで結ぶように直線を引いたときの当該直線の寸法（以下、下フランジ２４の横寸法と言う）が肩口側に向けて漸次拡大する拡幅部３０を有している。なお、拡幅部３０は、下フランジ２４の少なくとも一部に配されていれば良いが、本実施例１のように、下フランジ２４において下翼板２２の漸減部２２ｃの領域に配されている部分全体が拡幅部３０として構成されていることが好ましい。【００７０】
このような拡幅部３０を下フランジ２４が有することにより、下フランジ２４の前端部（肩口側先端部）の横寸法を容易に大きくすることができるため、この前端部に、後述する下り傾斜部を所定の大きさ及び所定の傾斜角度で安定して設けることができる。【００７１】
なおこの場合、下フランジ２４の外側面２４ｃの位置を、従来のスライダーに比べて、肩口側に近づくにつれてスライダー幅方向の外側寄りに設定することにより、当該下フランジ２４の内側面２４ｂの位置を従来のスライダーに比べて大きく変更することなく、言い換えると、スライダー胴体２０におけるエレメント案内路２７の形状や寸法を従来のものと大きく変更することなく、下フランジ２４に拡幅部３０を容易に形成できる。このため、本実施例１のスライダー１０を用いてスライドファスナー１を構成したときに、当該スライダー１０を摺動させることによって左右のエレメント列３を安定して噛合・分離させることが可能となる。【００７２】
このような左右の下フランジ２４の前端部には、スライダー前方に向けて下り傾斜し、且つ、スライダー幅方向の外側に向けて下り傾斜した平面を有する下り斜面部３１がそれぞれ形成されている。言い換えると、下フランジ２４の下り斜面部３１が形成されている部位では、下フランジ２４の高さ寸法（上下方向における寸法）がスライダー前方に向けて漸減するとともに、スライダー幅方向の外側に向けて漸減している。【００７３】
なお、本発明において、下フランジに形成される下り斜面部は、上述のように下り傾斜した平面の代わりに、同じ方向に下り傾斜するように凸状に僅かに湾曲した平面に近い湾曲面（例えば、後述する下り斜面部３１の傾斜面と、下フランジ２４の上面２４ａ、外側面２４ｃ、及び前端面２４ｄとをそれぞれ区画する稜線部よりも曲率の小さな曲面）を有していても良い。【００７４】
また、左右の下り斜面部３１は、左右の下フランジ２４の前端部における上面２４ａ側で且つ外側面２４ｃ側に配されている。更に、下り斜面部３１は、スライダー長さ方向（前後方向）の位置に関して、下翼板２２の平行部（第２側縁部）２２ｂが形成されている領域内に、すなわち、下翼板２２における平行部２２ｂと漸減部２２ｃとの境界よりも前方に配されている。【００７５】
この下り斜面部３１は、下フランジ２４の上面２４ａ、外側面２４ｃ、及び前端面２４ｄの３つの面により下フランジ２４の前端部に形成される外側角部を切り欠くことにより形成されたような切欠き形状を有しており、この下り斜面部３１の傾斜面（平面）は、下フランジ２４の上面２４ａ、外側面２４ｃ、及び前端面２４ｄの各面と、稜線部を介して隣り合うとともに、下フランジ２４の内側面２４ｂからは離れた位置に配されている。【００７６】
この場合、下り斜面部３１の傾斜面と、下フランジ２４の上面２４ａ、外側面２４ｃ、及び前端面２４ｄとを区画する各稜線部は、面取り加工が施されたような曲率の大きな曲面状に形成されている。また、下り斜面部３１における稜線部に囲まれた傾斜面（平面）の形状は、高さ位置（上下方向の位置）が低くなるほど細くなるような略三角形状を呈している。【００７７】
また、スライダー１０高さ方向（上下方向）に関して、下り斜面部３１の下端は、下翼板２２の肩口側端部に形成された傾斜面又は湾曲面２９を除く平坦な内面の高さ位置と同じ高さ位置、又は当該内面の高さ位置よりも上側の高さ位置に設定されている。なお、本実施例１の場合、下翼板２２の内面における肩口側端部には、前述のように外側に向けて下翼板２２の厚さ寸法を漸減させる傾斜面又は湾曲面２９が形成されているため、下り斜面部３１の下端が、下翼板２２の前記内面と同じ高さ位置に設定されていても、下翼板２２からは離間している。【００７８】
更に、当該下り斜面部３１は、例えばスライダー１０を左右の側面側から見たときに（言い換えると、図３に示したような正投影におけるスライダー１０の側面図を描いたときに）、視認される位置に配されており、しかも、例えばスライダー１０を幅方向の中心線側から下フランジ２４を見たときには（言い換えると、スライダー１０の幅方向中心線における断面図を描いたときには）、視認できない位置に配されている。【００７９】
一方、下フランジ２４の前端部における上面２４ａ側で且つ内側面２４ｂ側には、図４に示すように、下フランジ２４の上面２４ａ、内側面２４ｂ、及び前端面２４ｄの３つの面により形成されるような内側角部３２が形成されているものの、この内側角部３２は、角張った形状を有しておらず、下フランジ２４の上面２４ａ、内側面２４ｂ、及び前端面２４ｄに連続する曲率の大きな曲面状に形成されている。【００８０】
本実施例１における左右の上フランジ２５は、上翼板２１の左右の外側縁に沿うようにして、上翼板２１の後端から、平行部２２ｂの後端側の領域までの範囲に亘って形成されている。この上フランジ２５の前端部における下面側で且つ外側面側には、スライダー前方に向けて上り傾斜し、且つ、スライダー幅方向の外側に向けて上り傾斜した平面を有する上り斜面部３３が形成されている。【００８１】
本実施例１の場合、上フランジ２５と、当該上フランジ２５に形成した上り斜面部３３とは、下翼板２２に配した下フランジ２４と、下フランジ２４に形成した下り斜面部３１とに対して、それぞれ面対称の関係を有する形態を有している。従って、上フランジ２５及び上り斜面部３３の具体的な説明については、冗長を避けるために省略する。【００８２】
本実施例１における引手取付柱２６は、上翼板２１の上面側に片持ち状に一体形成されている。この引手取付柱２６の先端部（自由端部）と上翼板２１との間には、引手１１の取付軸部を挿通可能な空間部が設けられており、当該空間部を介して引手１１の軸部を引手取付柱２６と上翼板２１との間に挿入した後、引手取付柱２６の先端部と上翼板２１との間の空間部を狭めるように引手取付柱２６を上翼板２１側に塑性変形させることにより、引手１１がスライダー胴体２０に装着される。【００８３】
上述のような構成を有する本実施例１のスライダー１０は、当該スライダー１０のエレメント案内路２７に左右一組のファスナーストリンガーのエレメント列３を挿通させて、エレメント列３に摺動可能に取り付けられることによって、図６に示したようにスライドファスナー１が構成される。【００８４】
本実施例１のスライダー１０を有するスライドファスナー１が、例えば図１に示したような鞄５の開口部などに取着されて使用される場合において、スライダー１０をエレメント列３の噛合方向に向けて摺動させたときには、ファスナーエレメント２及びファスナーテープ４をスライダー胴体２０の肩口側からエレメント案内路２７内及びテープ挿通間隙２８間に順次進入させるとともに、スライダー胴体２０の上下フランジ２５，２４に左右のファスナーエレメント２を摺接させて左右のファスナーストリンガーを互いに引き寄せながらファスナーエレメント２同士を噛合させることにより、スライドファスナー１が閉鎖される。【００８５】
この場合、例えば使用者が、鞄５の開口部を閉めるために、スライダー１０の引手１１を噛合方向に向けてスライダー胴体２０の斜め上方に引っ張りながらスライダー１０を摺動させたときには、スライダー１０全体がファスナーテープ４に対して相対的に上方に引っ張られるため、ファスナーテープ４が撓みながらスライダー胴体２０のテープ挿通間隙２８に進入する。このため、スライダー胴体２０における下フランジ２４の肩口側端部（前端部）は、特に、当該肩口側端部の上面２４ａ側で且つ幅方向外側の部分は、ファスナーテープ４のテープ裏面に強く摺接する。【００８６】
このとき、本実施例１のスライダー１０における左右の下フランジ２４の肩口側端部には、前述のように下り斜面部３１が設けられているため、この下り斜面部３１にファスナーテープ４が摺接しても、ファスナーテープ４が下フランジ２４の肩口側先端部との接触によって受ける負荷（応力）が局部的に集中することを避けることができる。このため、ファスナーテープ４は、下フランジ２４の肩口側端部によって傷付けられ難くなり、ファスナーテープ４の破損を抑制することができる。【００８７】
また例えば、使用者が、スライダー１０の引手１１をスライダー胴体２０に向けて押し付けるようにしながら噛合方向に向けて引っ張ってスライダー１０を摺動させた場合には、スライダー胴体２０における上フランジ２５の肩口側端部（前端部）が、特に、当該肩口側端部の下面側で且つ幅方向外側の部分が、ファスナーテープ４のテープ表面に強く摺接することもある。【００８８】
このような場合であっても、本実施例１のスライダー１０における上フランジ２５の肩口側端部には、前述のように上り斜面部３３が設けられているため、下フランジ２４の下り斜面部３１の場合と同様に、ファスナーテープ４が上フランジ２５の肩口側先端部との接触によって受ける負荷（応力）が局部的に集中することを避けて、ファスナーテープ４を傷付けられ難くすることができる。【００８９】
従って、本実施例１のスライダー１０を有するスライドファスナー１によれば、スライドファスナー１の長期の使用においてスライダー１０の摺動操作が何度も繰り返し行われても、スライダー１０の下フランジ２４や上フランジ２５がファスナーテープ４の構成糸条を切断すること等によってファスナーテープ４を破損させるという不具合が生じることを抑制し、ファスナーテープ４の寿命をより長く延ばすことが可能となる。
【実施例２】
【００９０】
図８は、本実施例２におけるスライダーのスライダー胴体４０を示す斜視図である。
なお、本実施例２では、前述の実施例１と実質的に同じ構成を有する部品及び部材については同じ符号を用いて表すことによって、その説明を省略することとする。【００９１】
本実施例２におけるスライダー胴体４０では、下翼板２２の左右側縁部に垂設した下フランジ２４の肩口側端部（前端部）に、前述の実施例１のスライダー胴体２０と同様に、下り斜面部３１が設けられている。一方、上翼板２１の左右側縁部に垂設した上フランジ４５の肩口側端部（前端部）には、前述の実施例１のスライダー胴体２０に形成されていた上り斜面部３３が設けられていない。【００９２】
すなわち、本実施例２の上フランジ４５の前端部における下面側で且つ外側面側には、上フランジ４５の下面、外側面、及び前端面の３つの面により形成されるような外側角部が形成されている。なお、この上フランジ４５の前端部における外側角部は、角張った形状を有しておらず、面取りが施されたように、上フランジ４５の下面、外側面、及び前端面に連続する曲率の大きな曲面状に形成されている。【００９３】
このような本実施例２のスライダーを用いてスライドファスナーが構成され、そのスライドファスナーが図１に示したような鞄５などに取着されて使用される場合において、例えば使用者がスライダーの引手を噛合方向に向けてスライダー胴体４０の斜め上方に引っ張りながらスライダーを摺動させても、前述の実施例１の場合と同様に、ファスナーテープ４が下フランジ２４の肩口側先端部と接触しても傷付けられ難くなり、ファスナーテープ４の破損を抑制することができる。【００９４】
なお、本発明は、前述した実施例１及び実施例２の具体的な実施形態に何ら限定されるものではなく、本発明と実質的に同一な構成を有し、かつ、同様な作用効果を奏しさえすれば、多様な変更が可能である。【００９５】
例えば、前述の実施例１及び実施例２では、ファスナーテープ４に金属製のファスナーエレメント２が取着されたスライドファスナー１に用いられるスライダー１０について説明しているが、本発明において、スライドファスナーを構成するファスナーエレメントの種類は特に限定されるものではない。【００９６】
例えば、本発明に係るスライダーは、合成樹脂の射出成形により１つ１つが独立して形成されたファスナーエレメントを有するスライドファスナーや、モノフィラメントがコイル状若しくはジグザグ状などの形態に成形された連続状ファスナーエレメントを有するスライドファスナーなどにも使用することが可能である。【００９７】
また、前述した実施例１及び実施例２のスライダー１０は、停止機構を備えない自由スライダーとして構成されているが、本発明に係るスライダーは、停止爪体による停止機構を備えたスライダーに適用することも可能である。【００９８】
更に、前述した実施例１及び実施例２のスライダー１０は、所謂、通常タイプのスライドファスナーに用いられるスライダーとして構成されているが、本発明に係るスライダーは、前述の特許文献３に記載されているような隠しタイプのスライドファスナー用のスライダーや、前述の特許文献４に記載されているような裏使いタイプのスライドファスナー用のスライダーに適用することも可能である。
【符号の説明】
【００９９】
１                スライドファスナー
２                ファスナーエレメント
３                エレメント列
４                ファスナーテープ
５                鞄
１０                スライダー
１１                引手
２０                スライダー胴体
２１                上翼板
２２                下翼板
２２ａ              漸増部（第１側縁部）
２２ｂ              平行部（第２側縁部）
２２ｃ              漸減部（第３側縁部）
２２ｄ              後口側端部（第４側縁部）
２３                案内柱
２４                下フランジ
２４ａ              上面
２４ｂ              内側面
２４ｃ              外側面
２４ｄ              前端面
２４ｅ              後端面
２５                上フランジ
２６                引手取付柱
２７                エレメント案内路
２８                テープ挿通間隙
２９                湾曲面
３０                拡幅部
３１                下り斜面部
３２                内側角部
３３                上り斜面部
４０                スライダー胴体
４５                上フランジ
【図１】
0005989103.tif 000002
【図２】
0005989103.tif 000003
【図３】
0005989103.tif 000004
【図４】
0005989103.tif 000005
【図５】
0005989103.tif 000006
【図６】
0005989103.tif 000007
【図７】
0005989103.tif 000008
【図８】
0005989103.tif 000009